(57)【特許請求の範囲】
【請求項１】
記録データが書き込まれる主記録領域と、前記記録データや記録媒体の管理情報が書き込まれる第１及び第２の管理情報領域を備えた副記録領域とを有する記録媒体に対して情報の読み書きを行い、前記第１の管理情報領域への書き込みが必須であり、前記第２の管理情報領域への書き込みが任意であるように規定された情報記録再生装置において、
前記管理情報は、前記第１の管理情報領域に書き込まれる第１のグループ管理情報と、前記第２の管理情報領域に書き込まれる第２のグループ管理情報とを含み、該第１及び第２のグループ管理情報は、ディスク名と、曲番号をグループ化したグループ区切り情報と、グループ名とを含み、
前記第１のグループ管理情報のグループ区切り情報を、前記第２のグループ管理情報に記録することを特徴とする情報記録再生装置。
【請求項２】
前記第１の管理情報領域への記録は半角文字を用い、前記第２の管理情報領域への記録は全角文字を用いることを特徴とする請求項１記載の情報記録再生装置。
【請求項３】
前記第２の管理情報領域に既にディスク名が記録されている場合は、該ディスク名と前記第１のグループ管理情報のグループ区切り情報とを合成して前記第２のグループ管理情報に記録することを特徴とする請求項１又は２記載の情報記録再生装置。
【請求項４】
前記第２の管理情報領域に既に第２のグループ管理情報が記録されている場合であって、前記第１のグループ管理情報と第２のグループ管理情報とが異なるときのみ、前記グループ区切り情報を、前記第２の管理情報領域に記録することを特徴とする請求項１又は２記載の情報記録再生装置。
【請求項５】
前記第２の管理情報領域に既に第２のグループ管理情報が記録されている場合は、該第２のグループ管理情報のディスク名又はグループ名と前記グループ区切り情報とを合成して前記第２の管理情報領域に記録することを特徴とする請求項１又は２記載の情報記録再生装置。
【請求項６】
前記第１のグループ管理情報と前記第２のグループ管理情報とが異なる場合のみ、前記合成を行い、前記第２の管理情報領域に記録することを特徴とする請求項５記載の情報記録再生装置。
【請求項７】
前記第２の管理情報領域の容量を超えるときは、前記第２の管理情報領域への記録を中止することを特徴とする請求項１〜６の何れかに記載の情報記録再生装置。
【請求項８】
情報記録再生装置に接続され、請求項１〜７の何れかに記載の情報記録再生装置の処理機能を有することを特徴とする端末装置。
【発明の詳細な説明】
【０００１】
【発明の属する技術分野】
本発明は、情報記録再生装置及び端末装置に関し、詳細には、記録データが書き込まれる主記録領域と記録データや記録媒体の管理情報が書き込まれる副記録領域とを有する記録媒体に対して情報の読み書きを行う情報記録再生装置、及びその情報記録再生装置の処理機能を有する端末装置に関するものである。
【０００２】
【従来の技術】
情報記録再生装置の１つであるミニディスク録音再生装置（以下、ＭＤ装置と記す）は、記録媒体としてミニディスク（以下、ＭＤと記す）を用い、楽音や音声等の録音再生を行うデジタルオーディオ機器である。
【０００３】
ＭＤの記録可能領域は、楽音や音声等の記録データが書き込まれるプログラム領域と、プログラム領域における記録データの記録位置やその再生順序、及びＭＤ毎に固有のディスク名や一連の記録データ（以下、トラックと記す）毎に固有のトラック名等が書き込まれるユーザＴＯＣ領域（以下、ＵＴＯＣ［User Table
Of Contents］領域と記す）と、に大別される。
【０００４】
このＵＴＯＣ領域には、セクタと呼ばれる単位で複数種類の情報が独立して格納されており、ＭＤ装置ではセクタ０〜セクタ４までが使用されている。セクタ０にはトラックの記録状況がされ、セクタ１には半角英数字／半角カナ／一部半角記号を用いたディスク名やトラック名が格納され、セクタ２にはトラックの記録日時が格納される。セクタ３はレコーダブルＭＤでは使用されないが、プリレコードＭＤではＭＤのバーコードや各トラックのＩＳＲＣ［International Standard Recording Code］が格納される。そして、セクタ４には全角英数字／全角カナ／全角ひらがな／全角漢字／全角記号を用いたディスク名やトラック名が格納され得る。
【０００５】
このように、ＭＤ装置では、ＭＤのＵＴＯＣ領域（セクタ１及びセクタ４）に任意のディスク名やトラック名を書き込むことができるので、ユーザにとって非常に利便性が高い。
【０００６】
一方、近年ＭＤ装置で用いられる音声圧縮規格（高能率符号化規格）としてＡＴＲＡＣ３［Adaptive TRansform Acoustic Coding 3］が追加されたことにより、通常モード時の録音時間が８０分であるＭＤに対して、４倍録音モード時（ＬＰ４（66kbps）モード時）では最大３２０分の録音ができ、多数のトラック（楽曲等）を１枚のＭＤに収録することが可能となっている。
【０００７】
そこで、１枚のＭＤ中のトラックを複数のグループ単位（例えば、アーティスト別、ジャンル別）に分けて管理し、ユーザの利便性を向上させるグループ管理方法の採用が進んでいる。このグループ管理方法は上記のセクタ１に所定のフォーマットでグループ管理情報を記述することにより実現されている。
【０００８】
これにより、ＵＴＯＣ領域の管理情報としては、ディスク名及びグループ名を含むグループ管理情報と、トラック名を含むトラック管理情報とを有することになる。
【０００９】
更に、上記のセクタ４にもセクタ１と同様にグループ管理情報を記述することにより、グループ名を全角文字で記録することができる。但し、グループ管理が可能なＭＤ装置において、セクタ４へのグループ管理情報の記述は任意であり、実行しなくてもよいことになっている。
【００１０】
【発明が解決しようとする課題】
現在、上記のセクタ４を利用したグループ管理に対応したＭＤ装置はなく、実質的にセクタ４にグループ管理情報が記録されたＭＤは存在しない。従って、現在のＭＤをセクタ４を利用したグループ管理に対応したＭＤ装置で再生する場合は、全角文字のグループ管理情報を表示することはできず、半角英数カナ文字だけの表示しかできない。
【００１１】
また、全角文字のグループ名の表示を所望する場合でも、セクタ４へのグループ管理情報の書き込みはＭＤ装置によってプロテクトされているか、又は書き込みが可能な場合でもユーザがグループ管理情報の記述を解析して１文字ずつ入力しなければならない。
【００１２】
本発明は、上記の問題点に鑑み、全角文字のグループ管理情報が書き込まれていない記録媒体でも容易に全角文字のグループ管理情報を作成でき、全角文字でグループ管理できる情報記録再生装置を提供することを目的とする。また、その情報記録再生装置の処理機能を有した端末装置を提供することも目的とする。
【００１３】
【課題を解決するための手段】
上記目的を達成するために、本発明に係る情報記録再生装置は、記録データが書き込まれる主記録領域と、前記記録データや記録媒体の管理情報が書き込まれる第１及び第２の管理情報領域を備えた副記録領域とを有する記録媒体に対して情報の読み書きを行い、前記第１の管理情報領域への書き込みが必須であり、前記第２の管理情報領域への書き込みが任意であるように規定された情報記録再生装置において、
前記第１の管理情報領域に記録されている第１のグループ管理情報のうち、ディスク名、グループ名を削除したグループ区切り情報を、前記第２の管理情報領域に記録することを特徴とする。
【００１４】
これにより、第２の管理情報領域（セクタ４）に全角文字のグループ管理情報が書き込まれていない記録媒体（ＭＤ）でも、容易に第１の管理情報領域（セクタ１）に記録されている半角文字の第１のグループ管理情報から全角文字のグループ管理情報を作成でき、全角文字でグループ管理できる。
【００１５】
なお、上記情報記録再生装置において、前記第１の管理情報領域（セクタ１）への記録は半角文字を用い、前記第２の管理情報領域（セクタ４）への記録は全角文字を用いることにより、ＭＤの規格に対応することができる。
【００１６】
また、上記情報記録再生装置において、前記第２の管理情報領域（セクタ４）に既にディスク名が記録されている場合は、該ディスク名と前記グループ区切り情報（セクタ１のグループ区切り情報）とを合成して前記第２の管理情報領域（セクタ４）に記録することにより、第２の管理情報領域（セクタ４）に既に記録されているディスク名を残したままグループ区切り情報を記録することができる。
【００１７】
また、上記情報記録再生装置において、前記第２の管理情報領域（セクタ４）に既に第２のグループ管理情報（セクタ４のグループ管理情報）が記録されている場合であって、前記第１のグループ管理情報（セクタ１のグループ管理情報）と第２のグループ管理情報（セクタ４のグループ管理情報）とが異なるときのみ、前記グループ区切り情報を、前記第２の管理情報領域（セクタ４）に記録することにより、第１の管理情報領域（セクタ１）と第２の管理情報領域（セクタ４）のグループ区切り情報が一致し、全角文字でのグループ管理が可能となる。
【００１８】
また、上記情報記録再生装置において、前記第２の管理情報領域（セクタ４）に既に第２のグループ管理情報（セクタ４のグループ管理情報）が記録されている場合は、該第２のグループ管理情報（セクタ４のグループ管理情報）のディスク名又はグループ名と前記グループ区切り情報とを合成して前記第２の管理情報領域（セクタ４）に記録することにより、第２の管理情報領域（セクタ４）に既に記録されているディスク名又はグループ名を残したままグループ区切り情報を記録することができる。
【００１９】
また、上記情報記録再生装置において、前記第１のグループ管理情報（セクタ１のグループ管理情報）と前記第２のグループ管理情報（セクタ４のグループ管理情報）とが異なる場合のみ、前記合成を行い、前記第２の管理情報領域（セクタ４）に記録するようにしてもよい。
【００２０】
また、上記情報記録再生装置において、前記第２の管理情報領域の容量を超えるときは、前記第２の管理情報領域への記録を中止することが望ましい。
【００２１】
また、本発明に係る端末装置は、情報記録再生装置に接続され、上記情報記録再生装置の処理機能を有することを特徴とする。これにより、第２の管理情報領域（セクタ４）のグループ管理に対応していない情報記録再生装置（ＭＤ装置）においても第２の管理情報領域（セクタ４）にグループ管理情報を記録した記録媒体（ＭＤ）を作成することができる。
【００２２】
【発明の実施の形態】
本発明に係る情報記録再生装置の一例として、以下ではＭＤ装置を用いて説明する。図１は、ＭＤ装置１０の構成を示すブロック図である。１１は音楽情報等が記録されているＭＤであり、１２はＭＤ１１を回転駆動するスピンドルモータ、１３はＭＤ１１に対して記録／再生時にレーザ光を照射する光ピックアップであり、記録時には記録トラックをキュリー温度まで加熱するための高レベルのレーザ光を出力し、再生時には反射光からデータを検出するための低レベルのレーザ光を出力する。
【００２３】
また、１４は記録時に記録するデータによって変調された磁界をＭＤ１１に印加する磁気ヘッドであり、光ピックアップ１３と対向する位置に配置され、光ピックアップ１３と磁気ヘッド１４は送りモータ１５によってＭＤ１１の半径方向に移動可能となっている。
【００２４】
また、１６は再生ＲＦ信号、トラッキングエラー信号、フォーカスエラー信号、ＭＤ１１に記録されている絶対位置信号であるグルーブ情報等を抽出するＲＦアンプである。１７はＲＦ信号を復調、誤り訂正したり、変調、誤り訂正符号の付加等の信号処理を行うエンコーダ／デコーダ回路である。
【００２５】
また、１８はメモリ１９を制御するメモリコントローラであり、２０はデータを所定のフォーマットに従って時間軸伸長して圧縮を解いたり、逆に音声データを圧縮したりする音声圧縮伸長回路２０である。
【００２６】
また、２１はデジタル信号をアナログ信号に変換するＤ／Ａ変換回路であり、２２はアナログ信号を出力する音声出力端子、２３は録音時にアナログ信号が入力される音声入力端子、２４はアナログ信号をデジタル信号に変換するＡ／Ｄ変換回路である。
【００２７】
また、２５は各種制御動作に用いられるアドレス情報を出力するアドレスデコーダであり、２６はＭＤ装置１０を制御するシステムコントロールマイコン、２７は液晶ディスプレイ等からなる表示部、２８はＭＤ装置１０を操作するキー操作部、２９はトラッキングエラー信号、フォーカスエラー信号、及びシステムコントロールマイコン２６からの指示等により各種サーボ駆動信号を発生させるサーボ回路、３０はサーボ回路２９からの信号によりスピンドルモータ１２、光ピックアップ１３、送りモータ１５を駆動するドライバ回路、３１は磁気ヘッド１４を駆動する磁気ヘッド駆動回路、３２はＲＳ−２３２ＣやＵＳＢ等の端末装置インターフェースである。
【００２８】
次に、再生時のＭＤ装置１０の動作について説明する。光ピックアップ１３で検出された情報がＲＦアンプ１６に送られると、ＲＦアンプ１６はこの情報を処理し、再生ＲＦ信号、トラッキング信号、フォーカスエラー信号、グルーブ情報を抽出する。抽出されたＲＦ信号はエンコーダ／デコーダ回路１７に送られ、トラッキングエラー信号とフォーカスエラー信号はサーボ回路２９に、グルーブ情報はアドレスデコーダ２５に送られる。
【００２９】
そして、サーボ回路２９はトラッキングエラー信号、フォーカスエラー信号、各種サーボ信号を発生させ、ドライバ回路３０を制御してスピンドルモータ１２、光ピックアップ１３、送りモータ１５を駆動する。
【００３０】
また、ＲＦ信号はエンコーダ／デコーダ回路１７で復調、誤り訂正等の信号処理が行われた後、メモリコントローラ１８に送られる。メモリコントローラ１８は復調されたデータをメモリ１９に書き込む。ここまでのデータは約１／４．８に圧縮されているので、メモリコントローラ１８は読み出し速度を調整してメモリ１９からデータを読み出し、音声圧縮伸長回路２０に送る。音声圧縮伸長回路２０はデータを所定のフォーマットに従って時間軸伸長して圧縮を解き、Ｄ／Ａ変換回路２１に送る。Ｄ／Ａ変換回路２１は受け取った信号をＤ／Ａ変換して音声出力端子２２に送り、アナログ信号として出力する。
【００３１】
なお、アドレスデコーダ２５から出力されるアドレス情報はエンコーダ／デコーダ回路１７を介してシステムコントロールマイコン２６に送られ、各種制御動作に用いられる。
【００３２】
次に、録音時のＭＤ装置１０の動作について説明する。音声入力端子２３に入力されたアナログ信号はＡ／Ｄ変換回路２４でＡ／Ｄ変換され、音声圧縮伸長回路２０に送られる。音声圧縮伸長回路２０は所定の圧縮方式により音声データを１／４．８に圧縮してメモリコントローラ１８に送り、メモリコントローラ１８は受け取ったデータをメモリ１９に書き込む。
【００３３】
メモリコントローラ１８はメモリ１９に記憶されたデータをＭＤ１１へのデータ書き込みタイミングに合わせて読み出し、エンコーダ／デコーダ回路１７に送る。エンコーダ／デコーダ回路１７は変調、誤り訂正符号の付加等を行って磁気ヘッド駆動回路３１に送り、磁気ヘッド駆動回路３１は磁気ヘッド１４を駆動し、ＭＤ１１に磁界をかける。それと同時に光ピックアップ１３から記録トラックをキュリー温度まで加熱するための高レベルのレーザがＭＤ１１上で磁気ヘッド１４により磁界がかけられている部分に照射されることによってＭＤ１１にデータが記録される。
【００３４】
次に、ＭＤ装置１０の操作及び動作について説明する。ユーザはキー操作部２８を操作して表示部２７に表示される文字等を確認しながらＭＤ１１に曲を追加記録したり、ＭＤ１１に記録されている曲の消去、結合、曲順入れ替え等の編集、ＭＤ１１及び曲のタイトルの入力、修正等を行うことができる。キー操作部２８からの入力はシステムコントロールマイコン２６によって認識され、システムコントロールマイコン２６は必要に応じてエンコーダ／デコーダ回路１７にデータを送り、磁気ヘッド１４、各モータ、光ピックアップ１３を駆動させ、ＭＤ１１のＵＴＯＣ領域を書き換える。このように、ＭＤ装置１０では簡単にＭＤ１１のデータの編集、タイトルの入力、修正ができる。
【００３５】
なお、これらの操作は端末装置インターフェース３２を介して端末装置（不図示）からも行うことが可能である。
【００３６】
ここで、ＵＴＯＣ領域（セクタ１及びセクタ４）へのグループ管理情報記述の基本ルールは以下のように規定されている。グループ化を行う最初と最後の曲番号（ＴＮＯ）で「−」をはさむ。ＴＮＯとグループ名の間を「；」で区切る。ディスク名を記述する場合、ＴＮＯを「０」として記述する。グループ間を「／／」で区切る。最後のグループの末尾にも「／／」を付加する。グループ名のないグループも許可する。
【００３７】
そして、セクタ１の記述は全て半角文字であり、セクタ４の記述は全て全角文字である。上記のルールに従ってグループ管理情報の記述例を示すと、
セクタ１：0;TEST//1-5;JAZZ//6-8;Classic//9-12;//13-15;Pops//
セクタ４：０；テスト／／１−５；ジャズ／／６−８；クラシック／／９−１２；／／１３−１５；ポップス／／
のようになる。
【００３８】
以下に、全角文字のグループ管理情報が書き込まれていないＭＤでも容易に全角文字のグループ管理情報を作成でき、全角文字でグループ管理できるＭＤ装置１０の実施形態について説明する。
【００３９】
〈実施形態１〉
従来のＭＤ装置（不図示）で作成されたＭＤがセクタ１にしかグループ管理情報を記録していない場合、そのＭＤをセクタ４のグループ管理に対応した本発明のＭＤ装置１０で再生しても、このままでは全角文字を表示することができない。そこで、セクタ１に記録されているグループ管理情報をセクタ４に記録することにより、全角文字の表示を実現する。
【００４０】
図２は、実施形態１のＭＤ装置１０の動作を示すフローチャートである。まず、ＭＤがセットされると、ステップＳ４０においてセクタ１及びセクタ４の中からディスク名、グループ名、トラック名等を含む管理情報を取得する。そして、ステップＳ４０からステップＳ４１へ進んで、取得したセクタ１及びセクタ４の管理情報からディスク名及びグループ名を含んだグループ管理情報を抽出する。
【００４１】
ステップＳ４１からステップＳ４２へ進んでセクタ１のグループ管理情報の有無を判定する。ステップＳ４２においてセクタ１のグループ管理情報があるときは、ステップＳ４３へ進む。一方、ステップＳ４２においてセクタ１のグループ管理情報がないときは、グループ管理されていないＭＤと判定して処理を終了する。
【００４２】
ステップＳ４２からステップＳ４３へ進むと、セクタ４のグループ管理情報の有無を判定する。ステップＳ４３においてセクタ４のグループ管理情報があるときは、そのグループ管理情報を利用できるので処理を終了する。一方、ステップＳ４３においてセクタ４のグループ管理情報がないときは、ステップＳ４４へ進んでセクタ１のグループ管理情報からグループ区切り情報（グループ管理情報からディスク名とグループ名を削除した情報）を作成する。
【００４３】
そして、ステップＳ４４からステップＳ４５へ進んでセクタ４にグループ区切り情報を記録する。これにより、ユーザは所望のグループ番号を指定して、全角文字のグループ名を入力することで、セクタ４のグループ区切り情報に全角文字のグループ名を挿入することができる。
【００４４】
なお、ステップＳ４４で作成されるセクタ１のグループ区切り情報は半角文字を使用しているため、予め記憶された半角／全角の変換テーブル（不図示）を利用してセクタ４に対応した全角文字のグループ区切り情報に変換する必要がある。
【００４５】
例えば、セクタ１のグループ管理情報が「0;TEST//1-5;JAZZ//6-8;Classic//9-12;//13-15;Pops//」であって、セクタ４のグループ管理情報がない場合、セクタ１のグループ区切り情報「0;//1-5;//6-8;//9-12;//13-15;//」が作成され、全角文字に変換されたグループ区切り情報がセクタ４に記録される。しかる後、ユーザは全角文字のグループ名を入力することができる。例えば、６−８曲目を指定して「クラシック」を入力すると、セクタ４の記述は「０；／／１−５；／／６−８；クラシック／／９−１２；／／１３−１５；／／」のようになる。
【００４６】
〈実施形態２〉
セクタ１にグループ管理情報を記録しており、セクタ４にはディスク名のみ記録しているＭＤに、新たにセクタ４にグループ管理情報を記録すると既に記録されているディスク名が消去されてしまう。そこで、実施形態２ではセクタ４のディスク名と、セクタ１のグループ管理情報から作成されたグループ区切り情報とを合成してセクタ４に記録することにより、全角文字の表示を実現する。
【００４７】
図３は、実施形態２のＭＤ装置１０の動作を示すフローチャートである。ステップＳ４０〜ステップＳ４５は実施形態１と同様であるため、その詳細な説明を省略する。ステップＳ４３においてセクタ４のグループ管理情報がないときは、ステップＳ５０へ進んでセクタ４にディスク名が記録されているか否かを判定する。
【００４８】
ステップＳ５０においてセクタ４にディスク名が記録されているときは、ステップＳ５１へ進んで、そのディスク名をメモリ１９に記憶した後、ステップＳ５２へ進んでセクタ１のグループ管理情報からグループ区切り情報を作成する。そして、ステップＳ５２からステップＳ５３へ進んで作成したグループ区切り情報にメモリ１９内のディスク名を挿入してセクタ４に記録するグループ管理情報を合成する。
【００４９】
そして、ステップＳ５３からステップＳ５４へ進んで、合成されたグループ管理情報をセクタ４に記録する。これにより、セクタ４に既に記録されているディスク名を残したままグループ区切り情報を記録することができる。しかる後、ユーザは所望のグループ番号を指定して、全角文字のグループ名を入力することで、セクタ４のグループ管理情報に全角文字のグループ名を挿入することができる。
【００５０】
例えば、セクタ１のグループ管理情報が「0;TEST//1-5;JAZZ//6-8;Classic//9-12;//13-15;Pops//」、セクタ４のディスク名が「テスト」である場合、セクタ１のグループ区切り情報「0;//1-5;//6-8;//9-12;//13-15;//」が作成され、全角文字に変換されたグループ区切り情報にディスク名「テスト」が挿入された「０；テスト／／１−５；／／６−８；／／９−１２；／／１３−１５；／／」がセクタ４に記録される。しかる後、ユーザは全角文字のグループ名を入力することができる。例えば、６−８曲目を指定して「クラシック」を入力すると、セクタ４の記述は「０；テスト／／１−５；／／６−８；クラシック／／９−１２；／／１３−１５；／／」のようになる。
【００５１】
〈実施形態３〉
セクタ１及びセクタ４にグループ管理情報を記録しているＭＤをセクタ４のグループ管理に対応していないＭＤ装置で編集／録音すると、セクタ４のグループ管理情報は更新されず、セクタ１のグループ管理情報のみが更新される。その結果、セクタ１とセクタ４のグループ管理情報が異なるＭＤが作成される。このＭＤはセクタ１のグループ管理情報により管理され、セクタ４のグループ管理情報は使用できないため、全角文字のグループ名は表示できず、グループ名の入力・修正もできない。そこで、実施形態３ではセクタ１とセクタ４のグループ管理情報が異なるＭＤがセットされた場合、セクタ１に記録されているグループ管理情報をセクタ４に記録することにより、全角文字の表示を実現する。
【００５２】
図４は、実施形態３のＭＤ装置１０の動作を示すフローチャートである。ステップＳ４０〜ステップＳ４５は実施形態１と同様であるため、その詳細な説明を省略する。ステップＳ４３においてセクタ４のグループ管理情報があるときは、ステップＳ６０へ進んでセクタ１とセクタ４のグループ区切り情報を抽出する。そして、ステップＳ６０からステップＳ６１へ進んでセクタ１とセクタ４のグループ区切り情報が一致するか否かを判定する。このときセクタ４のグループ区切り情報を半角文字に変換するか、セクタ１のグループ区切り情報を全角文字に変換するかして比較判定する。
【００５３】
ステップＳ６１においてセクタ１とセクタ４のグループ区切り情報が一致するときは、そのままグループ管理することが可能であるため処理を終了する。一方、ステップＳ６１においてセクタ１とセクタ４のグループ区切り情報が一致しないときは、ステップＳ６２へ進んでセクタ１のグループ区切り情報を全角文字に変換してセクタ４に上書き記録する。
【００５４】
これにより、セクタ１とセクタ４のグループ区切り情報が一致し、全角文字でのグループ管理が可能となる。そして、ユーザは所望のグループ番号を指定して、全角文字のグループ名を入力することで、セクタ４のグループ区切り情報に全角文字のグループ名を挿入することができる。
【００５５】
例えば、セクタ１のグループ管理情報が「0;TEST//1-5;JAZZ//6-8;Classic//9-12;//13-15;Pops//」、セクタ４のグループ管理情報が「０；テスト／／１−３；ジャズ／／４−８；クラシック／／」である場合、セクタ１のグループ区切り情報「0;//1-5;//6-8;//9-12;//13-15;//」、セクタ４のグループ区切り情報「０；／／１−３；／／４−８；／／」が作成される。ここで、セクタ１とセクタ４のグループ区切り情報が一致していないため、セクタ１のグループ区切り情報を全角文字に変換してセクタ４に上書き記録する。しかる後、ユーザは全角文字のグループ名を入力することができる。例えば、６−８曲目を指定して「クラシック」を入力すると、セクタ４の記述は「０；／／１−５；／／６−８；クラシック／／９−１２；／／１３−１５；／／」のようになる。
【００５６】
〈実施形態４〉
実施形態３において、セクタ４にディスク名及びグループ名が記録されている場合、その記録は消去されてしまう。そこで、実施形態４ではセクタ１とセクタ４のグループ管理情報が異なるＭＤがセットされた場合、セクタ４に記録されているディスク名及びグループ名と、セクタ１のグループ区切り情報とを合成してセクタ４に記録することにより、全角文字の表示を実現する。
【００５７】
図５は、実施形態４のＭＤ装置１０の動作を示すフローチャートである。ステップＳ４０〜ステップＳ４５及びステップＳ６０〜ステップＳ６２は実施形態３と同様であるため、その詳細な説明を省略する。ステップＳ６１においてセクタ１とセクタ４のグループ区切り情報が一致しないときは、ステップＳ７０へ進んでセクタ４にディスク名又はグループ名が記録されているか否かを判定する。
【００５８】
ステップＳ７０においてセクタ４にディスク名とグループ名のどちらも記録されていないときは、ステップＳ６２へ進む。一方、ステップＳ７０においてセクタ４にディスク名又はグループ名が記録されているときは、ステップＳ７１へ進んで、そのディスク名又はグループ名をメモリ１９に記憶する。その後、ステップＳ７１からステップＳ７２へ進んでセクタ１のグループ区切り情報にメモリ１９内に記憶されたディスク名又はグループ名を挿入してグループ管理情報を合成し、ステップＳ７３へ進んで、その合成したグループ管理情報をセクタ４に上書き記録する。
【００５９】
なお、ステップＳ７２において、ディスク名は「0;」の後に挿入し、グループ名は記録されていた順に挿入し、セクタ４に記録されていたグループ名の数がセクタ１のグループ区切り情報のグループ数より少ない場合は、以降のグループ名はなしとし、また、セクタ１のグループ区切り情報の数よりセクタ４に記録されていたグループ名の数が多い場合は、セクタ１のグループ数だけグループ名を挿入し、余ったグループ名は削除する。
【００６０】
これにより、セクタ４に既に記録されているディスク名又はグループ名を残したままグループ区切り情報を記録することができる。しかる後、ユーザは所望のグループ番号を指定して、全角文字のグループ名を入力することで、セクタ４のグループ管理情報に全角文字のグループ名を挿入することもできる。
【００６１】
例えば、セクタ１のグループ管理情報が「0;TEST//1-5;JAZZ//6-8;Classic//9-12;//13-15;Pops//」、セクタ４のグループ管理情報が「０；テスト／／１−３；ジャズ／／４−８；クラシック／／」である場合、セクタ１のグループ区切り情報「0;//1-5;//6-8;//9-12;//13-15;//」、セクタ４のグループ区切り情報「０；／／１−３；／／４−８；／／」が作成される。ここで、セクタ１とセクタ４のグループ区切り情報が一致していないため、セクタ１のグループ区切り情報にセクタ４のディスク名「テスト」及びグループ名「ジャズ」、「クラシック」を挿入した「０；テスト／／１−５；ジャズ／／６−８；クラシック／／９−１２；／／１３−１５；／／」を合成し、セクタ４に上書き記録する。しかる後、ユーザは全角文字のグループ名を入力することができる。例えば、１３−１５曲目を指定して「ポップス」を入力すると、セクタ４の記述は「０；テスト／／１−５；ジャズ／／６−８；クラシック／／９−１２；／／１３−１５；ポップス／／」のようになる。
【００６２】
〈実施形態５〉
セクタ１とセクタ４のグループ区切り情報が一致しているＭＤ、又は何も記録されていないブランクのＭＤに対して、新たに録音／編集を行うと、グループ管理情報の更新が必要になる。そこで、実施形態５ではセクタ１とセクタ４のグループ管理情報の両方を更新することにより、全角文字の表示を実現する。
【００６３】
図６は、実施形態５のＭＤ装置１０の動作を示すフローチャートである。まず、ステップＳ８０においてグループ管理情報の更新が必要か否かを判定する。ステップＳ８０においてセクタ１とセクタ４のグループ区切り情報が一致しているＭＤ、又は何も記録されていないブランクのＭＤがセットされ、新たに録音／編集を行った後の場合は、グループ管理情報の更新が必要であるので、ステップＳ８１へ進む。一方、ステップＳ８０においてグループ管理情報の更新が必要ない場合は、処理を終了する。
【００６４】
ステップＳ８０からステップＳ８１へ進むと、録音／編集結果を反映したセクタ１のグループ管理情報を作成し、続いて、ステップＳ８２へ進んでセクタ４のグループ管理情報も同様に作成する。そして、ステップＳ８２からステップＳ８３へ進んでセクタ１に作成したグループ管理情報を記録し、ステップＳ８４へ進んでセクタ４に作成したグループ管理情報を記録する。
【００６５】
このように、必ずセクタ１とセクタ４のグループ管理情報を同時に更新することにより、セクタ１とセクタ４のグループ管理情報を一致させることができる。しかる後、ユーザは所望のグループ番号を指定して、全角文字のグループ名を入力することで、セクタ４のグループ管理情報に全角文字のグループ名を挿入することもできる。
【００６６】
なお、実施形態１〜実施形態５は、少なくともセクタ１とセクタ４のグループ区切り情報を一致させる処理である。ところで、セクタ１とセクタ４のデータ容量には制限（例えば、１７９２バイト）があり、セクタ１は１バイト／文字の半角文字で記録し、セクタ４は２バイト／文字の全角文字で記録するので、セクタ４の情報量がセクタ１より大きくなる可能性が高い。そこで、実施形態１〜実施形態５においてセクタ４へ記録する際に、セクタ４の容量を超えるときは記録を中止することが望ましい。
【００６７】
なお、実施形態１〜実施形態５においては、ＭＤへ書き込む情報の作成操作はＭＤ装置１０のキー操作部２８を用いたが、端末装置インターフェース３２を介してパソコン等の端末装置を用いて行ってもよい。その端末装置に実施形態１〜実施形態５の処理機能を有したソフト、即ちセクタ４のグループ管理可能なソフトを備えることにより、セクタ４のグループ管理に対応していないＭＤ装置においてもセクタ４にグループ管理情報を記録したＭＤを作成することができる。
【００６８】
【発明の効果】
記録データが書き込まれる主記録領域と、記録データや記録媒体の管理情報が書き込まれる第１及び第２の管理情報領域を備えた副記録領域とを有する記録媒体に対して情報の読み書きを行い、第１の管理情報領域への書き込みが必須であり、第２の管理情報領域への書き込みが任意であるように規定された情報記録再生装置において、第１の管理情報領域に記録されている第１のグループ管理情報のうち、ディスク名、グループ名を削除したグループ区切り情報を、第２の管理情報領域に記録することにより、第２の管理情報領域（セクタ４）に全角文字のグループ管理情報が書き込まれていない記録媒体（ＭＤ）でも、容易に第１の管理情報領域（セクタ１）に記録されている半角文字の第１のグループ管理情報から全角文字のグループ管理情報を作成でき、全角文字でグループ管理できる。
【００６９】
また、第１の管理情報領域（セクタ１）への記録は半角文字を用い、第２の管理情報領域（セクタ４）への記録は全角文字を用いることにより、ＭＤの規格に対応することができる。
【００７０】
また、第２の管理情報領域（セクタ４）に既にディスク名が記録されている場合は、該ディスク名とグループ区切り情報（セクタ１のグループ区切り情報）とを合成して前記第２の管理情報領域（セクタ４）に記録することにより、第２の管理情報領域（セクタ４）に既に記録されているディスク名を残したままグループ区切り情報を記録することができる。
【００７１】
また、第２の管理情報領域（セクタ４）に既に第２のグループ管理情報（セクタ４のグループ管理情報）が記録されている場合であって、第１のグループ管理情報（セクタ１のグループ管理情報）と第２のグループ管理情報（セクタ４のグループ管理情報）とが異なるときのみ、グループ区切り情報を第２の管理情報領域（セクタ４）に記録することにより、第１の管理情報領域（セクタ１）と第２の管理情報領域（セクタ４）のグループ区切り情報が一致し、全角文字でのグループ管理が可能となる。
【００７２】
また、第２の管理情報領域（セクタ４）に既に第２のグループ管理情報（セクタ４のグループ管理情報）が記録されている場合は、該第２のグループ管理情報（セクタ４のグループ管理情報）のディスク名又はグループ名とグループ区切り情報とを合成して第２の管理情報領域（セクタ４）に記録することにより、第２の管理情報領域（セクタ４）に既に記録されているディスク名又はグループ名を残したままグループ区切り情報を記録することができる。
【００７３】
また、第１のグループ管理情報（セクタ１のグループ管理情報）と第２のグループ管理情報（セクタ４のグループ管理情報）とが異なる場合のみ、第２のグループ管理情報（セクタ４のグループ管理情報）のディスク名又はグループ名とグループ区切り情報との合成を行い、第２の管理情報領域（セクタ４）に記録するようにしてもよい。
【００７４】
また、本発明に係る端末装置は、情報記録再生装置に接続され、本発明の情報記録再生装置の処理機能を有することにより、第２の管理情報領域（セクタ４）のグループ管理に対応していない情報記録再生装置（ＭＤ装置）においても第２の管理情報領域（セクタ４）にグループ管理情報を記録した記録媒体（ＭＤ）を作成することができる。
【図面の簡単な説明】
【図１】      本発明のＭＤ装置の構成を示すブロック図である。
【図２】      実施形態１のＭＤ装置の動作を示すフローチャートである。
【図３】      実施形態２のＭＤ装置の動作を示すフローチャートである。
【図４】      実施形態３のＭＤ装置の動作を示すフローチャートである。
【図５】      実施形態４のＭＤ装置の動作を示すフローチャートである。
【図６】      実施形態５のＭＤ装置の動作を示すフローチャートである。
【符号の説明】
１０    ＭＤ装置（情報記録再生装置）
１１    ＭＤ（記録媒体）
【図１】
0003717443.tif 000002
【図２】
0003717443.tif 000003
【図３】
0003717443.tif 000004
【図４】
0003717443.tif 000005
【図５】
0003717443.tif 000006
【図６】
0003717443.tif 000007